(57)【要約】      （修正有）【課題】ＩＣソケットへのＩＣパッケージの装着と離脱とを人の手で容易かつ簡便に行うことができる軽量で小型のＩＣ着脱工具を提供する。【解決手段】工具本体２と、工具本体の前部に出入り可能に装着されたヘッド部３と、ヘッドを移動すべく押圧する作動手段４と、ヘッド部を移動する作動手段を施錠、解錠するための錠止機構５と、工具本体の前部に設けられた複数個のＩＣ係合部材とを有する。【選択図】図１
2005169557.tif 000002
【特許請求の範囲】
【請求項１】
工具本体と、該工具本体の前部に出入り可能に装着されたヘッド部と、該ヘッド部を移動すべく押圧する作動手段と、前記ヘッド部を移動する該作動手段を施錠、解錠するための錠止機構と、前記工具本体の前部に設けられた複数個のＩＣ係合部材とを有することを特徴とするＩＣ着脱工具。
【請求項２】
前記作動手段が、軸と弾性部材とから形成されていることを特徴とする請求項１記載のＩＣ着脱工具。
【請求項３】
前記軸が、前記工具本体とヘッド部とを貫通して延びていることを特徴とする請求項２記載のＩＣ着脱工具。
【請求項４】
前記ヘッド部が、ＩＣソケットのホルダーの対応する角形の穴内に嵌合できる角形突部を有していることを特徴とする請求項１記載のＩＣ着脱工具。
【請求項５】
前記弾性部材がコイルばねであることを特徴とする請求項２記載のＩＣ着脱工具。
【請求項６】
前記ＩＣ係合部材が、ＩＣソケットのホルダーに係合可能な金具解除爪であることを特徴とする請求項１記載のＩＣ着脱工具。
【発明の詳細な説明】
【技術分野】
【０００１】
本発明は、ＩＣソケットへのＩＣパッケージの装着と解除とを１つの工具で行うことができる、軽量で、かつ操作が簡便なＩＣ着脱工具に係るもので、特に、ＩＣソケットに装着されるＩＣパッケージを簡単に装着、離脱することができる小型のＩＣ着脱工具に関するものである。
【背景技術】
【０００２】
従来、電気部品としてのＩＣパッケージ等が装着されるＩＣソケットにおいては、ソケット本体にＩＣパッケージが装着されてロックされるＩＣソケットが知られている。
【０００３】
【特許文献１】特開平１１−８７８号公報
【発明の開示】
【発明が解決しようとする課題】
【０００４】
しかしながら、従来のこのようなＩＣソケットにおいては、電気機器の小型化に伴ないＩＣパッケージも小型化、高密度化が要求されている。しかし、人間の手でＩＣパッケージを簡単に電気機器上において着脱することが難しくなっている。
【０００５】
従って、本発明の目的は、このような従来における問題を解決するために、ＩＣソケットへのＩＣパッケージの装着と離脱とを人の手で容易かつ簡便に行うことができる軽量で小型のＩＣ着脱工具を提供することにある。
【課題を解決するための手段】
【０００６】
上述の目的を達成するために、本発明のＩＣ着脱工具は、工具本体と、該工具本体の前部に出入り可能に装着されたヘッド部と、該ヘッド部を移動すべく押圧する作動手段と、前記ヘッド部を移動する該作動手段を施錠、解錠するための錠止機構と、前記工具本体の前部に設けられた複数個のＩＣ係合部材とを有することを特徴とする。
【０００７】
また、本発明のＩＣ着脱工具は、前記作動手段が、軸と弾性部材とから形成されていることを特徴とする。
【０００８】
さらに、本発明のＩＣ着脱工具は、前記軸が、前記工具本体とヘッド部とを貫通して延びていることを特徴とする。
【０００９】
さらにまた、本発明のＩＣ着脱工具は、前記ヘッド部が、ＩＣソケットのホルダーの対応する角形の穴内に嵌合できる角形突部を有していることを特徴とする。
【００１０】
本発明のＩＣ着脱工具は、前記弾性部材がコイルばねであることを特徴とする。
【００１１】
また、本発明のＩＣ着脱工具は、前記ＩＣ係合部材が、ＩＣソケットのホルダーに係合可能な金具解除爪であることを特徴とする。
【発明の効果】
【００１２】
本発明のＩＣ着脱工具は、工具本体と、角形突部を有し該工具本体の前部に出入り可能に装着されたヘッド部と、該ヘッド部を移動すべく押圧する作動手段と、前記ヘッド部を移動する該作動手段を施錠、解錠するための錠止機構と、前記工具本体の前部に設けられた複数個のＩＣ係合部材とを有するので、ＩＣソケットへのＩＣパッケージの装着と離脱とを１つの工具を用いて人の手で容易かつ簡便に行うことができ、軽量で小型に製作することができると共に、角形突部の作動が弾性をもって円滑に行われて良好にできる。
【発明を実施するための最良の形態】
【００１３】
このように構成される本発明のＩＣ着脱工具においては、工具本体と、該工具本体の前部に出入り可能に装着されたヘッド部と、該ヘッド部を移動すべく押圧する作動手段と、前記ヘッド部を移動する該作動手段を施錠、解錠するための錠止機構と、前記工具本体の前部に設けられた複数個のＩＣ係合部材とを有し、前記作動手段が軸とコイルばねのような弾性部材とから形成され、前記軸が工具本体とヘッド部とを貫通して延び、前記ヘッド部が、ＩＣソケットのホルダーの対応する角形の穴内に嵌合できる角形突部を有し、かつ前記ＩＣ係合部材がＩＣソケットのホルダーに係合可能な金具解除爪であるので、ＩＣソケットへのＩＣパッケージの装着と離脱とを人の手で容易かつ簡便に行うことができる小型のＩＣ着脱工具が得られる。
【００１４】
本発明のその他の目的や特徴および利点は、添付図面に示される以下の本発明の実施例についての詳細な説明から明らかである。
【実施例】
【００１５】
図１および図２は、本発明の実施例１におけるＩＣ着脱工具を図示、説明するための一部を断面した平面図および正面図である。
【００１６】
図示されるように、本発明が適用されるＩＣ着脱工具１は、工具本体２と、工具本体２の前部に出入り可能に装着されたヘッド部３と、ヘッド部３を移動すべく押圧する作動手段４と、ヘッド部３の移動を施錠、解錠するための錠止機構５と、工具本体２の前部に設けられた複数個のＩＣ係合部材としての金具解除爪６とを有している。
【００１７】
図示されるように、本発明のＩＣ着脱工具１において、工具本体２は、ほぼ四角形状の長方体から成り、正面側から工具本体２内にヘッド部３を受容するための凹部、すなわち穴８が設けられており、工具本体２のこの穴８内をヘッド部３が滑動できるように嵌合されている。また、工具本体２の正面には、４つの角部付近に２つずつの金具解除爪６がＩＣ係合部材としてそれぞれ設けられている。このような金具解除爪６は、ＩＣソケットに装着されたＩＣパッケージのホルダーに係合できるように工具本体２の正面側に突起部として設けられており、先端部の外側の側面に勾配が付けられるのが好適である。
【００１８】
ヘッド部３は、工具本体２の穴８内を滑動できるように嵌合されたヘッド部材９と、このヘッド部材９の正面側に設けられた角形突部１０とを有しており、ヘッド部材９の正面側に形成された穴１３内に、角形突部１０と一体的に形成された装着部１１が嵌め込まれている。角形突部１０は、偏平な板状を成しており、ＩＣソケットのホルダーに形成されている対応する角形の穴内に嵌合できるようになっている。さらにまた、工具本体２の穴８内に嵌合されているヘッド部材９は、穴８の底部とヘッド部材９の底面との間に間隙Ｓを形成しており、ヘッド部材９が工具本体２の穴８内を滑動できるのを可能にしている。このような間隙Ｓは、後述のＩＣパッケージの解除時におけるヘッド部材９の先端部と角形突部１０の押し込み移動に対応した変位を可能にするものである。
【００１９】
また、本発明のＩＣ着脱工具１の中央軸心に沿って工具本体２とヘッド部材９と装着部１１とを貫通して延びるように軸１２が設けられ、軸１２の両端にナット１５、１６がねじ着されており、この軸１２を取り巻いてコイルばね１４のような弾性部材が作動手段４として設けられていて、ヘッド部材９を工具本体２に対して正面側の前方に向って押圧している。このために、角形突部１０を有するヘッド部３のヘッド部材９は軸１２に沿って前後方向に移動することができる。さらにまた、ヘッド部材９にはコイルばね１４のための穴１８が設けられ、工具本体２にはナット１５のための穴１９が設けられており、さらに、装着部１１にはナット１６のための穴２０が設けられている。
【００２０】
なお、このような軸１２の装着部１１に対する取付け手段に対応して別の取付け手段として、軸１２の装着部１１側の端部にねじを切り、装着部１１にブラインド形のねじ穴を設けて軸１２をねじ着することもできるし、この軸１２を、ナット１５側を頭部とする長尺のボルトとすることもできる。このようにすれば、角形突部１０の正面中央部分に、ナット１６のための穴２０を設ける必要がなくなり、装着部１１にねじ穴を設けるだけなので、角形突部１０を装着部１１と一体的に一層強固に形成することができる。
【００２１】
さらにまた、工具本体２には、ヘッド部材９と一体の角形突部１０の作動を錠止するためのロックとしての錠止機構５が設けられている。錠止機構５は、軸１２の作動を錠止する切換えレバー１７を有しており、錠止側（ロック側）Ｌと、解錠側（オープン側）Ｏとに左右に切換え移動できるようになっており、ロック側Ｌでは、工具本体２に対してヘッド部材９と軸１２を錠止し、解錠側Ｏでは工具本体２に対してヘッド部材９と軸１２、従って、角形突部１０が移動できるようになっている。
【００２２】
この錠止機構５の具体的な構成の１つの例としては、例えば切換えレバー１７の下方に延出する部分を錠止部材として、錠止側Ｌの位置では錠止部材が間隙Ｓを塞ぎ、あるいはまた錠止部材が軸１２の溝に係合して軸１２と一緒にヘッド部材９と装着部１１を固定、錠止し、解錠側Ｏの位置では工具本体２またはヘッド部材９のいずれかに設けられた切欠き溝内に錠止部材が位置するように設けることによって、ヘッド部材９と装着部１１をフリーにすることで、所要の錠止、解錠作用を達成することができるように形成できる。
【００２３】
このように構成された本発明のＩＣ着脱工具１においては、ＩＣ着脱工具１を用い、先ず、ＩＣパッケージをＩＣソケットに装着する場合には、工具本体２の錠止機構５の切換えレバー１７を錠止側Ｌ（ロック側）にして、工具本体２に対してヘッド部材９と角形突部１０とが錠止されて一体的に固定された状態で、ＩＣパッケージをＩＣソケットの装着部に挿入した仮保持状態のＩＣソケットに対して、ＩＣソケットのホルダーのＩＣ装着部の角形穴部に合せて、本発明のＩＣ着脱工具１を手に持って角形突部１０を、ＩＣソケットの上記角形穴部に挿入して、そのまま押し込む。そして、押せなくなるまで、手に持った本発明のＩＣ着脱工具１をＩＣソケット内に押し込めば、ＩＣパッケージがＩＣソケット内に完全に装着されて「カチッ」とロックされた音がすれば、ＩＣパッケージの装着が完了してロックが行なわれ、装着が完了したことを教えるものである。こうしてＩＣパッケージがＩＣソケットに装着されたならば、ＩＣ着脱工具１をＩＣソケットから引き離してＩＣパッケージの装着を終了することができる。
【００２４】
次に、本発明のＩＣ着脱工具１を用いて、ＩＣパッケージをＩＣソケットから離脱する場合には、工具本体２の錠止機構５の切換えレバー１７を解除側Ｏ（オープン側）にして、ＩＣパッケージの装着されたＩＣソケットのホルダーのＩＣ装着部の角形穴部に合せて、本発明のＩＣ着脱工具１の先端の角形突部１０を挿入してＩＣ着脱工具１の後部上面を前方に向って押す。この操作によって、ＩＣ着脱工具１の角形突部１０が取付けられているコイルばね１４が押されて圧縮されて、ヘッド部材９が工具本体２内に押されて間隙Ｓを縮める方向に移動されて所定の位置にボールスプリングにより維持される。この動作によって、８個のロック解錠用の金具解除爪６が、ＩＣソケットのロック部を押し広げてホルダーロックを解除する。そして、このＩＣ着脱工具１を上方に持ち上げると、ＩＣホルダーも一緒にくっ付いて持ち上がるので、ＩＣパッケージが装着されているＩＣホルダーを手で取り外すことができる。
【００２５】
再度、ＩＣパッケージの解除を行う場合には、ボールスプリングによって止まっているＩＣ着脱工具１の先端の角形突部１０を当初位置に切換えレバー１７を手でスライドさせてロックを解錠させる。従って、これによって、ＩＣパッケージ解除操作の初期状態に復帰され、上述した操作を再び行うことができる。
【００２６】
以上に説明したように、本発明のＩＣ着脱工具は、工具本体と、角形突部を有し該工具本体の前部に出入り可能に装着されたヘッド部と、該ヘッド部を移動すべく押圧する作動手段と、前記ヘッド部を移動する該作動手段を施錠、解錠するための錠止機構と、前記工具本体の前部に設けられた複数個のＩＣ係合部材とを有するので、ＩＣソケットへのＩＣパッケージの装着と離脱とを１つの工具を用いて人の手で容易かつ簡便に行うことができ、軽量で小型に製作することができると共に、角形突部の作動が弾性をもって円滑に行われて良好にできる。
【産業上の利用可能性】
【００２７】
本発明のＩＣ着脱工具は、ＩＣパッケージが装着されるＩＣソケットに好適に使用することができる。
【図面の簡単な説明】
【００２８】
【図１】本発明のＩＣ着脱工具を、一部を断面にて示す平面図である。
【図２】図１の本発明のＩＣ着脱工具を示す正面図である。
【符号の説明】
【００２９】
１        ＩＣ着脱工具          
２        工具本体
３        ヘッド部
４        作動手段
５        錠止機構        
６        金具解除爪
８        穴
９        ヘッド部材
１０      角形突部
１１      装着部
１２      軸
１４      コイルばね
１５      ナット
１６      ナット
１７      切換えレバー
１８      穴
１９      穴
２０      穴
【図１】
2005169557.tif 000003
【図２】
2005169557.tif 000004